(57)【要約】【課題】アーク放電を発生させないで、直流及び／又は低周波交流の高圧及び／又は大電流路の電流を遮断する。【解決手段】電極１と、電極２と、電極３と、容量素子と、を備え、電極２には容量素子の一端が接続され、電極３には容量素子の他端が接続され、電極１は外部の電源の一方の極性の電位が印加される電極であり、電極３は外部の一方の極性の電位を出力又は非出力する電極であり、電極１、記電極２及び電極３が接触状態のときは、電流開閉器の開閉部が閉であり、電極２と電極３が離隔状態のときは、電流開閉器の開閉部が開であることを実現する。【選択図】図１
2013008607.tif 000002
【特許請求の範囲】
【請求項１】
電極１と、電極２と、電極３と、容量素子と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記容量素子の一端に伝達されるべく構成され、
前記電極３の電位は前記容量素子の他端に伝達されるべく構成され、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔し非導通状態となるとき、該電極２から前記容量素子及び前記外部の負荷を介して前記部分へ電流が流れ、該電極２と該電極３との間にアーク放電が発生しないことを特徴とする電流開閉器。
【請求項２】
電極１と、電極２と、電極３と、容量素子と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記容量素子の一端に伝達されるべく構成され、
前記電極３の電位は前記容量素子の他端に伝達されるべく構成され、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔する一瞬、該電極２と該電極３との電位差が“０”又は極めて小さく、該電極２と該電極３との間にアーク放電が発生しないことを特徴とする電流開閉器。
【請求項３】
前記電極２と前記電極３を接触させた導通状態を保持し、該電極２と前記電極１を接触させ導通状態とすることにより、該電極３に前記外部の電源の前記一方の極性の電位を出力することを特徴とする請求項１又は２に記載の電流開閉器。
【請求項４】
電極１と、電極２と、電極３と、容量素子と整流素子との直列接続回路と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記直列接続回路の一端に伝達されるべく構成され、
前記電極３の電位は前記直列接続回路の他端に伝達されるべく構成され、
前記直列接続回路の前記整流素子は、前記外部の電源の前記の一方の極性の電位に順方向であり、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔し非導通状態となるとき、該電極２から前記直列接続回路及び前記外部の負荷を介して前記部分へ電流が流れ、該電極２と該電極３との間にアーク放電が発生しないことを特徴とする直流電流開閉器。
【請求項５】
電極１と、電極２と、電極３と、容量素子と整流素子との直列接続回路と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記直列接続回路の一端に伝達されるべく構成され、
前記電極３の電位は前記直列接続回路の他端に伝達されるべく構成され、
前記直列接続回路の前記整流素子は、前記外部の電源の前記の一方の極性の電位に順方向であり、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔する一瞬、該電極２と該電極３との電位差がほぼ“０”又は極めて小さく、該電極２と該電極３との間にアーク放電が発生しないことを特徴とする直流電流開閉器。
【請求項６】
電極１と、電極２と、電極３と、容量素子と、を備え、
前記電極２には前記容量素子の一端が接続され、前記電極３には該容量素子の他端が接続され、前記電極１は外部の電源の一方の極性の電位が印加される電極であり、該電極３は該外部の該一方の極性の電位を出力又は非出力する電極であり、該電極１、該電極２及び該電極３が接触状態のときは、電流開閉器の開閉部が閉であり、該電極２と該電極３が離隔状態のときは、電流開閉器の開閉部が開であることを特徴とする電流開閉器。
【請求項７】
電極１と、電極２と、電極３と、容量素子と整流素子との直列接続回路と、を備え、
前記電極２には前記直列接続回路の一端が接続され、前記電極３には該直列接続回路の他端が接続され、前記電極１は外部の電源の一方の極性の電位が印加される電極であり、前記直列接続回路の前記整流素子は、該外部の電源の該一方の極性の電位に順方向であり、該電極３は該外部の電源の該一方の極性の電位を出力又は非出力する電極であり、該電極１、該電極２及び該電極３が接触状態のときは、直流電流開閉器の開閉部が閉であり、該電極２と該電極３が離隔状態のときは、直流電流開閉器の開閉部が開であることを特徴とする直流電流開閉器。
【請求項８】
前記容量素子の両端に抵抗素子１が並列接続されていることを特徴とする請求項１、２、３又は６のいずれかに記載の電流開閉器。
【請求項９】
前記容量素子の両端に抵抗素子１が並列接続されていることを特徴とする請求項４、５又は７のいずれかに記載の直流電流開閉器。
【請求項１０】
前記整流素子の両端に抵抗素子２が並列接続されていることを特徴とする請求項４、５又は７のいずれかに記載の直流電流開閉器。
【発明の詳細な説明】
【技術分野】
【０００１】
本発明は、電流開閉器において、高電圧直流、高電圧低周波交流、大電流直流及び大電流低周波交流に対応し、直流電流開閉器において、高電圧直流及び大電流直流に対応可能な、電流開閉器及び直流電流開閉器に関する。
【背景技術】
【０００２】
高圧及び／又は大電流の直流電流を遮断するとき、直流スイッチの電極間にアーク放電が発生し、直流電流は交流に比して遮断が容易ではなく、このため、直流スイッチはアーク放電を消去するため装置が大きく高価であり、直流を給電することが望ましいデータセンタなどの負荷（サーバ等）に対しても、従来から、系統（商用電源）の交流を直流変換し（停電時等のバッテリーバックアップのため）し、さらに該直流を交流変換して給電し、末端の負荷において各負荷が該交流を直流に変換し負荷に電力を供給している。
これら変換の都度、電力損失が発生し、かつ設備構築にも、設備価格が高価かつ設備機種が多く、多大な費用を必要とする。
さらに、近年においては、ＣＯ２排出規制などにも関連し、直流・交流変換、さらに交流・直流変換を必要としない電力効率に優れる高圧直流給電方式（系統電源を直流変換し、負荷直前の降圧ＤＣ／ＤＣコンバータまで高圧直流を給電する方式）が検討されている。
したがって、高圧及び／又は大電流の直流給電方式において、上記の直流遮断が難しいという問題点を解決する課題が存在する。
【先行技術文献】
【特許文献】
【０００３】
【特許文献１】特開２００３−２０８８２９号公報
【発明の概要】
【発明が解決しようとする課題】
【０００４】
特許文献１は、直流遮断器に関するものであるが、以下の問題が存在する。
以下、この出願の明細書の段落「００２８」を下記に引用して説明する。
「この遮断器は、図１に示すように、導電支持板１１に固定した一対の板ばね１０（弾性電極）と、この板ばね１０に常時は接触する固定電極２０とを具え、板ばね１０と固定電極２０との間に絶縁板３０を抜き差しすることで導通・遮断を行うものである。」
以上が特許文献１の記載の一部である。
一般に、直流、交流を問わず、開閉器（スイッチ）における両電極の導通接触部は、凹凸による表面加工が施され、両電極が閉じているとき（導通状態）、この両電極の導通接触部の凹凸部は相互に接触し導通している。したがって、両導通接触部の間に物を挿入することは困難である（仮に先端部が薄いテーパ状板版であっても。）。
また、上記挿入を容易にするためには、両導通接触部に凹凸を形成せず、つるつる状平面とすると、一般に、両導通接触部における接触導通性が悪い。
導通接触部が、凹凸による表面加工されている場合は、両導通接触部の接触導通性は良好である。
【０００５】
以上の現状に鑑み、本発明の電流開閉器及び直流電流開閉器は、高圧及び／又は大電流の直流電流において、開閉器を断とすべく電極間を開くとき、電極間に絶縁体を挿入させず、両導通接触部間にアーク放電を発生させないことを実現する。
さらにまた、本発明の電流開閉器においては、高圧及び／又は大電流の低周波交流及においても、アーク放電を発生させずに電流を遮断する電流開閉器を実現する。
【課題を解決するための手段】
【０００６】
上記の目的を実現するべく本発明は以下の構成とする。
（１）請求項１に係る電流開閉器は、
電極１と、電極２と、電極３と、容量素子と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記容量素子の一端に伝達されるべく構成され、
前記電極３の電位は前記容量素子の他端に伝達されるべく構成され、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔し非導通状態となるとき、該電極２から前記容量素子及び前記外部の負荷を介して前記部分へ電流が流れ、該電極２と該電極３との間にアーク放電が発生しないことを特徴とする。
（２）請求項２に係る電流開閉器は、
電極１と、電極２と、電極３と、容量素子と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記容量素子の一端に伝達されるべく構成され、
前記電極３の電位は前記容量素子の他端に伝達されるべく構成され、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔する一瞬、該電極２と該電極３との電位差が“０”又は極めて小さく、該電極２と該電極３との間にアーク放電が発生しないことを特徴とする。
（３）請求項３に係る電流開閉器は、請求項１又は２において、
前記電極２と前記電極３を接触させた導通状態を保持し、該電極２と前記電極１を接触させ導通状態とすることにより、該電極３に前記外部の電源の前記一方の極性の電位を出力することを特徴とする。
（４）請求項４に係る直流電流開閉器は、
電極１と、電極２と、電極３と、容量素子と整流素子との直列接続回路と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記直列接続回路の一端に伝達されるべく構成され、
前記電極３の電位は前記直列接続回路の他端に伝達されるべく構成され、
前記直列接続回路の前記整流素子は、前記外部の電源の前記の一方の極性の電位に順方向であり、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔し非導通状態となるとき、該電極２から前記直列接続回路及び前記外部の負荷を介して前記部分へ電流が流れ、該電極２と該電極３との間にアーク放電が発生しないことを特徴とする。
（５）請求項５に係る直流電流開閉器は、
電極１と、電極２と、電極３と、容量素子と整流素子との直列接続回路と、を備え、
前記電極１には外部の電源の一方の極性の電位が印加されるべく構成され、
前記電極２は前記電極１と接触又は非接触可能に構成され、前記電極３は該電極２と接触又は非接触可能に構成され、
前記電極２の電位は前記直列接続回路の一端に伝達されるべく構成され、
前記電極３の電位は前記直列接続回路の他端に伝達されるべく構成され、
前記直列接続回路の前記整流素子は、前記外部の電源の前記の一方の極性の電位に順方向であり、
前記電極１、前記電極２及び前記電極３が導通状態にあるとき、該電極１に印加される前記外部の電源の前記一方の極性の電位は該電極３から出力され、
前記電極３と、前記外部の電源の他方の極性の電位が印加されている部分、との間に外部の負荷が接続され、前記電極１と前記電極２が導通している状態において該電極２と該電極３が離隔する一瞬、該電極２と該電極３との電位差がほぼ“０”又は極めて小さく、該電極２と該電極３との間にアーク放電が発生しないことを特徴とする。
（６）請求項６に係る電流開閉器は、
電極１と、電極２と、電極３と、容量素子と、を備え、
前記電極２には前記容量素子の一端が接続され、前記電極３には該容量素子の他端が接続され、前記電極１は外部の電源の一方の極性の電位が印加される電極であり、該電極３は該外部の該一方の極性の電位を出力又は非出力する電極であり、該電極１、該電極２及び該電極３が接触状態のときは、電流開閉器の開閉部が閉であり、該電極２と該電極３が離隔状態のときは、電流開閉器の開閉部が開であることを特徴とする。
（７）請求項７に係る直流電流開閉器は、
電極１と、電極２と、電極３と、容量素子と整流素子との直列接続回路と、を備え、
前記電極２には前記直列接続回路の一端が接続され、前記電極３には該直列接続回路の他端が接続され、前記電極１は外部の電源の一方の極性の電位が印加される電極であり、前記直列接続回路の前記整流素子は、該外部の電源の該一方の極性の電位に順方向であり、該電極３は該外部の電源の該一方の極性の電位を出力又は非出力する電極であり、該電極１、該電極２及び該電極３が接触状態のときは、直流電流開閉器の開閉部が閉であり、該電極２と該電極３が離隔状態のときは、直流電流開閉器の開閉部が開であることを特徴とする。
（８）請求項８に係る電流開閉器は、請求項１、２、３又は６のいずれかにおいて、
前記容量素子の両端に抵抗素子１が並列接続されていることを特徴とする。
（９）請求項７に係る直流電流開閉器は、請求項４、５又は７のいずれかにおいて、
前記容量素子の両端に抵抗素子１が並列接続されていることを特徴とする。
（１０）請求項８に係る直流電流開閉器は、請求項４、５又は７のいずれかにおいて、
前記整流素子の両端に抵抗素子２が並列接続されていることを特徴とする。
【発明の効果】
【０００７】
（Ａ）本発明による電流開閉器は、アーク放電を発生させないで、高電圧直流、高電圧低周波交流、大電流直流及び大電流低周波交流電流を遮断できる。
（Ｂ）本発明による直流電流開閉器は、アーク放電を発生させないで、高電圧直流及び大電流直流を遮断できる。
（Ｃ）本発明による電流開閉器及び直流電流開閉器は、開閉器遮断（ＯＦＦ）時にアーク放電を発生させることがなく、かつ、従来技術と比較し、構造が極めて小型簡素で製造コストが低い。
（Ｄ）特に、本発明による電流開閉器及び直流電流開閉器は、高電圧用に使用する場合、該開閉器に流れる電流容量が小さくなるため、さらに小型化が実現できる。
（Ｅ）従来技術のアーク放電消去開閉器は、アーク放電の発生は元来阻止できないものと容認して、発生するアーク放電を如何に小規模とするか、発生したアーク放電を如何に消去するかが課題であったが、本発明による電流開閉器及び直流電流開閉器は、アーク放電自体を発生させない開閉器である。
【図面の簡単な説明】
【０００８】
【図１】は、本発明による電流開閉器の実施の形態を示す構成図である。
【図２】は、本発明による電流開閉器の実施の形態を示す構成図である。
【図３】は、本発明による電流開閉器の実施の形態を示す構成図である。
【図４】は、本発明による電流開閉器の実施の形態を示す構成図である。
【図５】は、本発明による電流開閉器を応用した直流電流開閉器の実施の形態を示す構成図である。
【図６】は、本発明による電流開閉器を応用した直流電流開閉器の実施の形態を示す構成図である。
【図７】は、本発明による電流開閉器を応用した直流電流開閉器の実施の形態を示す構成図である。
【図８】は、本発明による電流開閉器を応用した直流電流開閉器の実施の形態を示す構成図である。
【発明を実施するための形態】
【０００９】
各実施の形態の説明の前に、本発明の基本事項を説明する。
各実施の形態において共通する本発明の基本的技術思想は、本発明の電流開閉器の実施の形態である電流開閉器を遮断（ＯＦＦ）とする場合において、電流開閉器の導通時接触していた両電極が離隔を開始した瞬間、容量素子により、両電極間の電位差を“０”とし、  同様に、本発明の電流開閉器を応用した直流電流開閉器の実施の形態である直流電流開閉器を遮断（ＯＦＦ）とする場合において、直流電流開閉器の導通時接触していた両電極が離隔を開始した瞬間、容量素子により、両電極間の電位差を極めて小さくし、離隔した両電極間に発生すべくアーク放電を発生させないことである。
【００１０】
（１）電流開閉器の実施の形態
（１−１）ハードウェア構造及び電気回路構成
図１〜図４は、本発明による実施の形態である電流開閉器の基本的原理を示す模式的ハードウェア構造図（電極１、電極２及び電極３）及び電気回路構成（Ｃ及びＲ１）である。
なお、本発明の基本部分に関係しない付帯的要素は各図において割愛しているが、明細書にて文言上で説明する。
【００１１】
以下、図１〜図４を参照して、本発明の電流開閉器の実施の形態であるハードウェア構造及び電気回路構成を説明する。
本発明の電流開閉器の開閉部は、図１〜図４において、Ｅｔ１で示される電極１、Ｅｔ２で示される電極２、Ｅｔ３で示される電極３で構成され、電極２Ｅｔ２と電極３Ｅｔ３を離隔させ、電極２Ｅｔ２と電極３Ｅｔ３が非導通、又は、電極２Ｅｔ２と電極３Ｅｔ３を接触させ、電極２Ｅｔ２と電極３Ｅｔ３が導通となることにより開閉器の機能を発揮する。
【００１２】
電極２Ｅｔ２と電極３Ｅｔ３を離隔させ、開閉部の電流を遮断（負荷への電力供給断）したうえで、さらにその後、電極１Ｅｔ１と電極２Ｅｔ２を離隔させる。
なお、以降、電極１Ｅｔ１、電極２Ｅｔ２、電極３Ｅｔ３をそれぞれ単に、電極Ｅｔ１、電極Ｅｔ２、電極Ｅｔ３と称す。
特許請求の範囲では、これらの電極をそれぞれ、電極１、電極２、電極３と称す。
【００１３】
ただし、電極Ｅｔ１、電極Ｅｔ２、電極Ｅｔ３のみでは、アーク放電を発生しない通常の電圧・電流の範囲内（すなわち、通常の開閉器が使用される電圧・電流の範囲内）において、開閉機能を有するものの、高電圧直流、高電圧交流、高電圧ではなくとも大電流直流又は高電圧ではなくとも大電流交流電流の遮断時にアーク放電が発生し開閉器を断（ＯＦＦ）とすることはできない。
【００１４】
すなわち、本発明の電流開閉器及び後述する本発明の直流電流開閉器は、各電極を含むメカニカル部分のみ（すなわち、本発明の基本的技術思想である容量素子Ｃを除外した）において、アーク放電を意識しない通常の電圧範囲における耐圧、電流容量を満足するのみでよく、アーク放電阻止は電気回路で実現する。
したがって、本発明の電流開閉器及び後述する本発明の直流電流開閉器の開閉部はアーク放電を消滅させるための装置が不要で小型となる。
なお、上記及び明細書中の、高電圧（高圧）、低電圧（低圧）、高電圧ではない電圧、（低電圧とも一概に限定できないが。）大電流直流及び交流（周波数）は定性的表現のため、後述にて説明を補足する。
【００１５】
アーク放電を阻止するため、図１〜図４において“Ｃ”で表される容量素子（以降、容量素子Ｃと称す。特許請求の範囲では容量素子と称す。）を必要とする。
なお、必要に応じて、Ｒ１で表される抵抗素子（以降、抵抗素子Ｒ１と称す。特許請求の範囲では抵抗素子１と称す。）を容量素子Ｃに並列接続する。
【００１６】
本発明の電流開閉器には、Ｌｉ３で表される電流路３、Ｌｉ４で表される電流路４、Ｌｉ５で表される電流路５が存在する。
電流路３、電流路４、電流路５は、容量素子Ｃと抵抗素子Ｒ１との並列接続回路を電極Ｅｔ２、電極Ｅｔ３間に接続する。
以降、電流路３、電流路４、電流路５を、それぞれ、電流路Ｌｉ３、電流路Ｌｉ４、電流路Ｌｉ５と称す。
また、電極Ｅｔ３と、Ｔ３で表される電位出力用端子Ｔ３を接続する負荷Ｌ動作用電流路は電流路Ｌｉ３である。
電流路Ｌｉ３、電流路Ｌｉ４、電流路Ｌｉ５は、電極Ｅｔ２と電極Ｅｔ３を容量素子Ｃで接続する。
【００１７】
外部の電源の一方の極性の電位が印加されるＴ１で表される端子Ｔ１に、Ｌｉ１で表される電流路１により電極Ｅｔ１が接続される。
外部の電源の他方の極性の電位が印加されるＴ２で表される端子Ｔ２に、Ｌｉ２で表される電流路２によりＴ４で表される電位出力用の端子Ｔ４が接続される。
以降、電流路１、電流路２をそれぞれ、電流路Ｌｉ１、電流路Ｌｉ２と称す。
【００１８】
なお、本発明の電流開閉器には、他方の極性の電位を伝達する端子Ｔ２、電流路Ｌｉ２及び端子Ｔ４は必須要素ではない。
すなわち、外部の電源の一方の極性の電流路Ｌｉ３を遮断すれば、電流が断となる。よって、本発明の電流開閉器には、端子Ｔ２、電流路Ｌｉ２、端子Ｔ４は必須要素ではない。
【００１９】
電極Ｅｔ１、電極Ｅｔ２及び電極Ｅｔ３が全て接触（閉じている。）とき、端子Ｔ１の電位は、端子Ｔ３に出力される。
【００２０】
各要素の接続関係を説明する。
端子Ｔ１には、電流路Ｌｉ１を介して電極Ｅｔ１が接続されている。
端子Ｔ２には、電流路Ｌｉ２を介して端子Ｔ４が接続されている。
【００２１】
電極Ｅｔ２には、電流路Ｌｉ４を介して、容量素子Ｃと抵抗素子Ｒ１の並列接続回路の一端が接続されている。
【００２２】
端子Ｔ３には、電流路Ｌｉ５を介して、容量素子Ｃと抵抗素子Ｒ１の並列接続回路の他端が接続されている。
【００２３】
電極Ｅｔ３は、電流路Ｌｉ３を介して端子Ｔ３に接続されている。
端子Ｔ３、端子Ｔ４間には、外部の要素である負荷Ｌが接続されている。
【００２４】
電極Ｅｔ１と電極Ｅｔ３の間に電極Ｅｔ２が存在する。
電極Ｅｔ１を図示しない電流開閉器の筐体に固定してもよく、電極Ｅｔ１に対して電極Ｅｔ２及び電極Ｅｔ３を可動可能とする。
【００２５】
電極Ｅｔ１を固定とするか可動とするかは任意として、これら３個の電極は、いずれも相対的に全ての電極を離隔させて電流開閉器を非導通とし若しくは全ての電極を接触させ電流開閉器を導通とし、又は、電極Ｅｔ２から電極Ｅｔ３を離隔させ電流開閉器を非導通（負荷Ｌ電流断）とし若しくは電極Ｅｔ２から電極Ｅｔ３を離隔させた後、電極Ｅｔ１から電極Ｅｔ２を離隔させ、電極Ｅｔ２を電極Ｅｔ３に接触させることが可能である。
【００２６】
本発明の電流開閉器の本来のスイッチ動作すなわち負荷Ｌへの電力の供給／非供給（遮断）は、電極Ｅｔ２と電極Ｅｔ３の接触／非接触（離隔）で行なわれる。
電極Ｅｔ１と電極Ｅｔ２の離隔は、負荷Ｌ電流を遮断した後、電流開閉器を完全にＯＦＦする場合である。
【００２７】
本発明の電流開閉器の通常の遮断は、電極Ｅｔ１と電極Ｅｔ２が接触させた状態で、電極Ｅｔ３のみ、電極Ｅｔ２から離隔させることである。
本発明の電流開閉器の通常の第２の遮断は、電極Ｅｔ１と電極Ｅｔ２の離隔であり電流開閉器を完全にＯＦＦする場合である。
本発明の電流開閉器の通常の導通は、電極Ｅｔ２と電極Ｅｔ３が接触させた状態で、電極Ｅｔ２を電極Ｅｔ１に接触させることである。
【００２８】
上記、３個の電極の動作は、図示しない本発明外の外力（ソレノイド、モータ、バネ、手動、等）により働くものとする。
【００２９】
これら３個のそれぞれの電極の離隔動作は、図２を正視し、該図に示すように、電極Ｅｔ１を基準として、電極Ｅｔ３を上方向に平行移動させて電極Ｅｔ２から離隔させるか、若しくは、図示しないが、電極Ｅｔ３を横方向に水平移動させて電極Ｅｔ２から離隔させるか、又は、上記離隔方法において電極Ｅｔ３に回転を伴わせて電極Ｅｔ２から離隔させるか若しくは別の如何なる離隔動作も可とし任意である。
【００３０】
図３を正視し、該図に示すように、電極Ｅｔ１を基準として、電極Ｅｔ２を上方向に平行移動させて電極Ｅｔ１から離隔させるか、若しくは、図示しないが、電極Ｅｔ２を横方向に水平移動させて電極Ｅｔ１から離隔させるか、又は、上記離隔方法において電極Ｅｔ２に回転を伴わせて電極Ｅｔ１から離隔させるか若しくは別の如何なる離隔動作も可とし任意である。
【００３１】
または、図２において、電極Ｅｔ２を基準として、電極Ｅｔ３を上方向に平行移動させて電極Ｅｔ２から離隔させるか、若しくは、図示しないが、電極Ｅｔ３を横方向に水平移動させて電極Ｅｔ２から離隔させるか、又は、上記離隔方法において電極Ｅｔ３に回転を伴わせて電極Ｅｔ２から離隔させるか若しくは別の如何なる離隔動作も可とし任意である。
【００３２】
さらにまた、図２において、電極Ｅｔ２を基準として、電極Ｅｔ１を下方向に平行移動させて電極Ｅｔ２から離隔させるか、若しくは、図示しないが、電極Ｅｔ１を横方向に水平移動させて電極Ｅｔ２から離隔させるか、又は、上記離隔方法において電極Ｅｔ１に回転を伴わせて電極Ｅｔ２から離隔させるか若しくは別の如何なる離隔動作も可とし任意である。
【００３３】
また、図２において、電極Ｅｔ３を基準として、電極Ｅｔ１及び電極Ｅｔ２を下方向に平行移動させて電極Ｅｔ３から離隔させるか、若しくは、図示しないが、電極Ｅｔ１及び電極Ｅｔ２を横方向に水平移動させて電極Ｅｔ３から離隔させるか、又は、上記離隔方法において電極Ｅｔ１及び電極Ｅｔ２に回転を伴わせて電極Ｅｔ３から離隔させるか若しくは別の如何なる離隔動作も可とし任意である。
【００３４】
図４において、電極Ｅｔ２を基準として、電極Ｅｔ３を電極Ｅｔ２に接触させてもよい。これは、この状態で、電極Ｅｔ２を電極Ｅｔ１に接触させて、電流開閉器をＯＮに遷移させる前段階である
【００３５】
電極の離隔動作と接触動作は、上記それぞれの離隔動作に対して逆の経路をとる。
このように、３個のいずれかの電極を基準として、他の電極を移動させることが可能である。
【００３６】
このような動作が可能であるということは、離隔する電極間にアーク放電が発生しないためであり、電極間の電流容量を確保できれば、如何なる電極の形状、離隔形態も可とする電流開閉器の形状の自由度、離隔動作の自由度を与えるものである。
【００３７】
上記について補足すると、スイッチのようなものは、スイッチの設置位置により、元来、上下左右の区別が存在しないため、電極の離隔方向は極座標的に無数あり、また、離隔する電極において、どの電極を離隔動作の基準位置とするかは開閉器の製造上、用途の問題であり、これらを特定する必要性はない。
【００３８】
どの電極の組み合わせが接触／非接触であるかが、本発明の電流開閉器及び本発明の直流電流開閉器の基本的技術思想である容量素子Ｃの一端及び他端の電位を制御する（容量素子Ｃの充放電）ことにおいて重要である。
【００３９】
また、各電極の離隔のための移動には、該移動を自在とし、かつ、移動軌道を保持するための支えが必要であるが、これは本発明の本質ではないため、図示を割愛している。
用途、必要に応じて適切な移動を可能とする支持体（支え）を考慮することで足りる。
【００４０】
さらにまた、本発明は電流スイッチであるため、感電を防止するための任意の絶縁体から構成される筐体が必要であるが、これも本発明の本質ではないため、必要に応じて適切な筐体を考慮することで足りるので図示を割愛している。
【００４１】
以上説明したハードウェア構造及び電気回路構成は、高電圧直流、高電圧交流、高電圧ではなくとも（低電圧とも一概に限定できないが。）大電流直流又は高電圧ではなくとも（低電圧とも一概に限定できないが。）大電流低周波交流電流を遮断するとき、アーク放電を発生させないための必要最小限の必須要素を記載している。
図１〜図４は、本発明の電流開閉器がアーク放電を発生させないで、電流を遮断できる原理を示すものである。
【００４２】
したがって、代表的に図１〜図４により、本発明の電流開閉器のハードウェア構造及び電気回路構成を説明し、後述する動作説明もこれに基づく。
【００４３】
必須要素という観点からは、外部の電流源の一方の極性の電位を伝送する電流路のみを遮断することで足りるので、端子Ｔ２、端子Ｔ４及び電流路Ｌｉ２も本発明の電流開閉器には不要とも言える。すなわち、必須要素ではない。
【００４４】
逆に、系統のｈｏｔ側とｃｏｌｄ側の区別が不明で、関電防止等のために両方をＯＦＦしたい場合は、この電流開閉器又は直流電流開閉器を一方の極性及び他方の極性の電流路に挿入することも好適である。
【００４５】
（１−２）ハードウェア及び電気回路の動作
図１〜図４を参照し、本発明の電流開閉器のハードウェア及び電気回路の動作を説明する、
【００４６】
図１は、電極Ｅｔ１、電極Ｅｔ２及び電極Ｅｔ３が全て接触している状態であり、端子Ｔ１、端子Ｔ２間に外部の電源を接続した場合を考える。
たとえば、外部の高電圧直流電源電位を印加するとする。外部の直流電源の一方の極性の電位を正極として、端子Ｔ１に印加し、外部の直流電源の他方の極性の電位を負極として、端子Ｔ２に印加したとする。
【００４７】
外部の負荷Ｌが要求する条件により、外部の高圧直流電源又は高圧ではないが大電流直流電源を接続することもある。「高圧の電流値＜高圧ではないが大電流値」。左式のような電流の大小関係が一般的である。
また、高圧又は高圧ではない（以下、低圧と称することもある。）電圧の大きさの大小関係による区分により、「高圧の電流値≪低圧の大電流値」ともなる。
【００４８】
端子Ｔ１に印加された正極電位は、電流路Ｌｉ１、電極Ｅｔ１、電極Ｅｔ２及び電極Ｅｔ３に伝達され、電流路Ｌｉ３を介して端子Ｔ３に出力される。
端子Ｔ２に印加された負極電位は、電流路Ｌｉ２を介して端子Ｔ４に直結しているため、端子Ｔ４に外部の直流電源の負極電位が出力される。
【００４９】
端子Ｔ３、端子Ｔ４間に外部の要素である負荷Ｌを接続すると該負荷Ｌに電力が供給される。これがスイッチ（本発明の電流開閉器）ＯＮ（電流開閉器が導通している状態であり、電流開閉器が閉の状態）の状態である。
【００５０】
図１では、容量素子Ｃの電荷は、電流路Ｌｉ４、電極Ｅｔ２、電極Ｅｔ３、電流路Ｌｉ３、電流路Ｌｉ５の経路で完全に放電されている。
【００５１】
次に図２を参照して、本発明の電流開閉器の動作を説明する。
図２は、スイッチ（本発明の電流開閉器）ＯＦＦ（電流開閉器が非導通している状態であり、電流開閉器が開の状態）の状態である。
図２においては、電極Ｅｔ３が電極Ｅｔ２から離隔し、電極Ｅｔ２と電極Ｅｔ３が非接触であるため、端子Ｔ１、端子Ｔ３間は非導通であり、負荷Ｌに電力が供給されない。
【００５２】
図２に遷移する前の図１の状態で、容量素子Ｃ（コンデンサ）は、容量素子Ｃの一端（正極）から、電流路Ｌｉ４、電極Ｅｔ２、電極Ｅｔ３、電流路Ｌｉ３、電流路Ｌｉ５、容量素子Ｃの他端（負極）の経路で放電されている。
電極Ｅｔ２が電極Ｅｔ３及び電極Ｅｔ１に接触していない状態では、容量素子Ｃの放電は、抵抗素子Ｒ１を介して行われる。
【００５３】
本発明の電流開閉器を遮断（ＯＦＦ、すなわち、負荷Ｌへの電力供給を断とする。）するため、図１の状態から図２の状態に遷移（すなわち、電極Ｅｔ３を電極Ｅｔ２から離隔する。）するとき、仮に、図１、図２に示す容量素子Ｃが存在しないで、容量素子Ｃの両端部が開放（オープン。）されていると、電極Ｅｔ２と電極Ｅｔ３との間にアーク放電が発生し、電極Ｅｔ３を電極Ｅｔ２から遠ざけても、アーク放電が伸びるのみでアーク放電は消滅しない。
【００５４】
この理由は、容量素子Ｃが存在しな場合で、端子Ｔ１と端子Ｔ２との間に高電圧直流電源を印加した場合、電極Ｅｔ１及び電極Ｅｔ２は端子Ｔ１の電位であり、図２において電極Ｅｔ３は、電極Ｅｔ２と離隔しているため、電極Ｅｔ３は、端子Ｔ３の電位（すなわち、端子Ｔ２の電位）であり、図１から図２に遷移するすなわち電極Ｅｔ３が電極Ｅｔ２から離隔するとき、電極Ｅｔ２と電極Ｅｔ３との間に、端子Ｔ１と端子Ｔ２間の電位差が発生しアーク放電が発生する。
【００５５】
または、高電圧ではないが大電流直流電源を同様に接続し、端子Ｔ３、端子Ｔ４間に大電流（大容量負荷Ｌを接続）を流している場合も、アーク放電が発生する。
すなわち、高電圧及び／又は大電流が流れる電流路を遮断するとき、該遮断部に必然的にアーク放電が発生する。
【００５６】
しかしながら、本発明の電流開閉器には、電極Ｅｔ２と電極Ｅｔ３との間に容量素子Ｃが接続されているため、電極Ｅｔ３が電極Ｅｔ２から離隔する一瞬、電極Ｅｔ２と電極Ｅｔ３間に発生すべくアーク放電電流の代替電流が容量素子Ｃを介して流れるため該アーク放電は発生しない。
該アーク放電代替電流の電流路は、電極Ｅｔ２から電流路Ｌｉ４、容量素子Ｃ、電流路Ｌｉ５、端子Ｔ３、負荷Ｌ、端子Ｔ４、電流路Ｌｉ２、端子Ｔ２である。
【００５７】
これを別の観点から考察すると、電極Ｅｔ２と電極Ｅｔ３との間に容量素子Ｃが接続されているため、電極Ｅｔ３が電極Ｅｔ２から離隔する一瞬は、電極Ｅｔ２の電位と電極Ｅｔ３の電位が同電位であり、電極Ｅｔ２と電極Ｅｔ３との電位差が、“０”Ｖであるためである。
仮に、容量素子Ｃが完全に放電していない場合は、電極Ｅｔ２と電極Ｅｔ３との電位差は極めて小さいものとなる。
電位差がなければ又は小さいければ、アーク放電は発生しない。
【００５８】
電極Ｅｔ３が電極Ｅｔ２から離隔する一瞬は、容量素子Ｃを流れる電流位相は進み、容量素子Ｃの端子間電圧位相は遅れ、該端子間電位差は “０”Ｖである。
したがって、電極Ｅｔ２と電極Ｅｔ３との間にアーク放電が発生しない。
【００５９】
容量素子Ｃの一端すなわち電極Ｅｔ２と容量素子Ｃの他端すなわち電極Ｅｔ３との電位差と、電極Ｅｔ２と電極Ｅｔ３との時間を考慮した離隔間隔を考えると、電極Ｅｔ２から電極Ｅｔ３が離隔する際、すなわち電極Ｅｔ２と電極Ｅｔ３との離隔間隔が、離隔した一瞬である無限小から、Ｘｍｍ／ｍｓの速度で離隔する過程で、電極Ｅｔ２の電位と電極Ｅｔ３の電位とが電極間電位差放電（アーク放電ではない。）を発生する電位差に至るまで容量素子Ｃが充電（容量素子Ｃの端子間電位差の増大）される時刻には、電極Ｅｔ３が電極Ｅｔ２から必要十分離隔する。
【００６０】
Ｘは、電極Ｅｔ３が外力により移動させられる単位時間（ｍｓ）あたりの離隔距離である。
【００６１】
該電位差放電は、概略、電極間隔１ｍｍ以下、電位差１，０００Ｖ以上で発生すると言われている。電極Ｅｔ２と電極Ｅｔ３との電位差が１，０００Ｖでも、離隔間隔が１ｍｍ超となれば、該離隔した間隔に電位差放電を発生することはなく、かつ、これが発生しさらにアーク放電に移行することはない。
ここで、電位差放電とは一般的に、電極間に高圧を印加した場合に発生する電極間の絶縁耐圧を超えた場合に発生する放電である。
【００６２】
端子Ｔ１、端子Ｔ２間に、高電圧ではないが大電流直流電源を接続した場合は、さらに電位差放電が発生することは困難である。ただ、電極Ｅｔ２と電極Ｅｔ３の離隔時瞬間のアーク放電に留意すればよい。
【００６３】
なお、端子Ｔ３、端子Ｔ４間の電流値（負荷Ｌ電流値）により、容量素子Ｃの容量を決める。該電流値が大きい程、容量素子Ｃの容量を大きくする必要がある。
また、電極Ｅｔ３が電極Ｅｔ２から離隔する速度も重要であり、容量素子Ｃの充電による容量素子Ｃの端子間電位差と電極Ｅｔ２と電極Ｅｔ３の離隔間隔において、アーク放電を発生しないで離隔した後、電極Ｅｔ２と電極Ｅｔ３に電位差放電が発生しないように離隔間隔を大とすべく離隔速度を大とする。
【００６４】
なお、本発明の電流開閉器では、容量素子Ｃは、通常の容量すなわちμＦ単位、通常の開閉器の電極接点切り離し速度で十分である。
【００６５】
図１においては、容量素子Ｃに蓄積されている電荷は“０”であり、容量素子Ｃの一端と他端の電位差は“０”Ｖであり、容量素子Ｃの一端と他端の電位は、電極Ｅｔ２、電極Ｅｔ３、電極Ｅｔ１及び端子Ｔ１の電位であったが、図２において、電極Ｅｔ２と電極Ｅｔ３が離隔して微小時間（容量素子Ｃと負荷Ｌとの時定数にもよるが）経過後、容量素子Ｃの他端の電位は、端子Ｔ２の電位（端子Ｔ２の電位を基準として“０”電位）に漸近していく。
【００６６】
すなわち、容量素子Ｃの端子間電位差は、端子Ｔ１と端子Ｔ２間の電位差となる。
よって、電極Ｅｔ２と電極Ｅｔ３との電位差は、端子Ｔ１と端子Ｔ２との電位差と同一となり、本来電位差放電が発生する電位差に達するが、電極Ｅｔ２と電極Ｅｔ３が必要十分に離隔し、該放電が発生せず、かつアーク放電に移行することはない。
【００６７】
なお、抵抗素子Ｒ１は、容量素子Ｃに充電された電荷を放電するためのものであが、図２の状態では、該抵抗素子Ｒ１が端子Ｔ１と端子Ｔ２間の閉回路を構成する要素であるため、アーク放電を発生せず負荷Ｌに電力を供給しなくなった現在でも負荷Ｌの電力入力両端間（すなわち、端子Ｔ３、端子Ｔ４間）に、端子Ｔ１と端子Ｔ２間に印加された電位の一部（抵抗素子Ｒ１の抵抗値と負荷Ｌ直流抵抗値の比にもよるが）が発生しているため、電極Ｅｔ２を次の段階に遷移（図３及び図４に）させる。
【００６８】
抵抗素子Ｒ１の抵抗値をあまり小さくすると、電極Ｅｔ２から電極Ｅｔ３を離隔して、本発明の電流開閉器を断とした場合も、抵抗素子Ｒ１を介して負荷Ｌ電流が流れるため、抵抗素子Ｒ１の抵抗値は、容量素子Ｃの電荷を放電する程度のものとする。
【００６９】
なお、図２の状態では、容量素子Ｃは、外部の一方の極性（正極）の電位が印加された端子Ｔ１にから、電流路Ｌｉ１、電極Ｅｔ１、電極Ｅｔ２、電流路Ｌｉ４、容量素子Ｃ、電流路Ｌｉ５、端子Ｔ３、負荷Ｌ、端子Ｔ４、電流路Ｌｉ２、外部の他方の極性（負極）の電位が印加された端子Ｔ２の電流路で充電される。
【００７０】
図２〜図４を参照して、次の段階における本発明の電流開閉器の動作を説明する。
図２の状態において、容量素子Ｃの一端の電位は、電極Ｅｔ２、電極Ｅｔ１及び端子Ｔ１の電位であるが、図３の状態に遷移（電極Ｅｔ２が電極Ｅｔ１から離隔する。）する直前は、容量素子Ｃの他端の電位が、端子Ｔ２の電位の電位となっているか又は、これに近い電位となっている必要がある。すなわち、容量素子Ｃの端子間電位差が、端子Ｔ１と端子Ｔ２との電位差又はこれに近い電位差となっている必要がある。
【００７１】
これを満足している場合、図２の状態から図３の状態（電極Ｅｔ１から電極Ｅｔ２の離隔）に遷移しても、電極Ｅｔ１と電極Ｅｔ２間にはアーク放電は発生しない。
これは、電極Ｅｔ１と電極Ｅｔ２が離隔する一瞬、電極Ｅｔ１と電極Ｅｔ２間の電位差が“０”又は小さいためである。
【００７２】
次に、図３において、容量素子Ｃの電荷は抵抗素子Ｒ１を介して放電を開始し、容量素子Ｃの端子間電圧は無限小に漸近（これに要する時間は、容量素子Ｃと抵抗素子Ｒ１の時定数による。）していく。
【００７３】
仮に、図２の状態から瞬間的（または、速く）に図４の状態へ遷移したとすると、容量素子Ｃの電荷が抵抗素子Ｒ１を介して放電する時間を与えられずに電極Ｅｔ２と電極Ｅｔ３が導通し、容量素子Ｃに蓄積された電荷により容量素子Ｃには短絡電流が流れる。
短絡経路は、容量素子Ｃの一端から、電流路Ｌｉ４、電極Ｅｔ２、電極Ｅｔ３、電流路Ｌｉ３、電流路Ｌｉ１５、容量素子Ｃの他端である。
【００７４】
このような事象が発生すると、電極Ｅｔ２及び電極Ｅｔ３の接触部に損傷を与える可能性がある。
すなわち、電極Ｅｔ２、電極Ｅｔ３間に大電流が流れ、電極Ｅｔ２と電極Ｅｔ３が完全に接触する直前の瞬間は、電極Ｅｔ２と電極Ｅｔ３との接触抵抗が大きく（すなわち、不完全接触の瞬間時の接触抵抗）該接触部分に発熱が発生し両電極の溶融、両電極間の容着など両電極の接触部分に損傷を来す。
【００７５】
このような事象を回避するため、図３の状態を維持する時間を少し設け、蓄積された容量素子Ｃの電荷を抵抗素子Ｒ１により放電させることが好適である。
図３の状態では容量素子Ｃの端子間は短絡されずに、容量素子Ｃの蓄積電荷を抵抗素子Ｒ１により放電できる。
【００７６】
このような状態のままで、次にスイッチ（本発明の電流開閉器）ＯＮ（電流開閉器が導通している状態であり、電流開閉器が閉の状態）を迎えるまで放置していてもかまわない。
【００７７】
次にスイッチ（本発明の電流開閉器）ＯＮの状態に遷移するときは、図４（すなわち、電極Ｅｔ２と電極Ｅｔ３を接触させている状態）の状態を維持しながら、電極Ｅｔ２を電極Ｅｔ１に接触させる。
すなわち、図１に復帰（スイッチＯＮ）する。
【００７８】
上記の過程（図４すなわち、電極Ｅｔ２と電極Ｅｔ３を接触させている状態）を経過しない（図３すなわち、電極Ｅｔ２と電極Ｅｔ３を離隔させている状態）で、先に電極Ｅｔ２を電極Ｅｔ１に接触させて（図２の状態）から、その後、電極Ｅｔ３を電極Ｅｔ２に接触させ、スイッチ（本発明の電流開閉器）ＯＮの状態（図１の状態）に遷移させると、容量素子Ｃの両端は、電極Ｅｔ２と電極Ｅｔ３により短絡される。
【００７９】
図２の状態では、容量素子Ｃが充電される。
図１の状態に遷移する前の図２の状態において容量素子Ｃに充電された電荷が、図１の状態において、急激に放電されるため、電極Ｅｔ２、電極Ｅｔ３間に大電流が流れ、電極Ｅｔ２と電極Ｅｔ３が完全に接触する直前の瞬間は、電極Ｅｔ２と電極Ｅｔ３との接触抵抗が大きく（すなわち、不完全接触の瞬間時の接触抵抗）該接触部分に発熱が発生し両電極の溶融、両電極間の容着など両電極の接触部分に損傷を来す。
【００８０】
この理由は、図２の状態では、外部の電源の一方の極性の電位すなわち正極電位が印加されている端子Ｔ１から、電流路Ｌｉ１、電極Ｅｔ１、電極Ｅｔ２、電流路Ｌｉ４、容量素子Ｃ、電流路Ｌｉ５、端子Ｔ３、負荷Ｌ、端子Ｔ４、電流路Ｌｉ２、外部の電源の他方の電位すなわち負極電位が印加されている端子Ｔ２の電流経路により、容量素子Ｃが充電され、放電できないためである。
【００８１】
したがって、この場合、本発明の電流開閉器が図１の状態に遷移したとき、容量素子Ｃに充電された電荷が、容量素子Ｃの一端から、電流路Ｌｉ４、電極Ｅｔ２、電極Ｅｔ３、電流路Ｌｉ３、電流路Ｌｉ５、容量素子Ｃの他端の経路により急激に放電される。
【００８２】
これを防止するため、図４の状態（電極Ｅｔ２と電極Ｅｔ３の接触関係）を維持しつつ電極Ｅｔ２を電極Ｅｔ１に接触させると、図１の状態に遷移し、遷移前の段階で容量素子Ｃが充電されないので、スイッチ（本発明の電流開閉器）ＯＮの状態に復帰でき、容量素子Ｃの放電は有り得ない。
【００８３】
本発明の実施の形態において、端子Ｔ１に正極電位、端子Ｔ２に負極電位（端子Ｔ２を基準電位とするから端子Ｔ２は“０”電位）を印加する一例で動作説明をしたが、端子Ｔ１に負極電位、端子Ｔ２に正極電位（端子Ｔ２を基準電位とするから端子Ｔ２は“０”電位）を印加しても良く、又は、端子Ｔ１、端子Ｔ２間に低周波交流電源を接続してもよい。
【００８４】
すなわち、高電圧低周波交流又は低電圧大電流低周波交流電源を端子Ｔ１と端子Ｔ２に接続し、端子Ｔ３と端子Ｔ４に負荷Ｌを接続し、電極Ｅｔ２から電極Ｅｔ３を離隔（図１から図２への遷移）し、本発明の電流開閉器を開（ＯＦＦ）としても電極Ｅｔ２と電極Ｅｔ３間にアーク放電は発生しない。
【００８５】
これは、上記、直流電源を端子Ｔ１と端子Ｔ２間に接続した場合における電極Ｅｔ２から電極Ｅｔ３を離隔した動作説明と近似している。
【００８６】
すなわち、電極Ｅｔ３が電極Ｅｔ２から離隔する一瞬は、電極Ｅｔ３と電極Ｅｔ２の電位差は、“０”電位であり、低周波交流のサイクルによる電極Ｅｔ２の電位の変化が、電極Ｅｔ３が電極Ｅｔ２から離隔する速度に対して、緩慢（よって、交流の微小区間では直流に近似可能）であるから、電極Ｅｔ２と電極Ｅｔ３の電位差が大となる前に、電極Ｅｔ２と電極Ｅｔ３には電位差放電が発生しない離隔間隔距離を確保することができる。
【００８７】
よって、高電圧低周波交流又は低電圧大電流低周波交流電源を端子Ｔ１と端子Ｔ２に接続して、電極Ｅｔ２から電極Ｅｔ３を離隔したときの動作説明は、上記、直流電源を端子Ｔ１と端子Ｔ２に接続して、電極Ｅｔ２から電極Ｅｔ３を離隔した動作説明と近似するため、これを援用し重複する説明を割愛する。
【００８８】
さらに、高電圧低周波交流又は低電圧大電流低周波交流電源を端子Ｔ１と端子Ｔ２に接続し、図１から図２への遷移を経てから、電極Ｅｔ２を電極Ｅｔ１から離隔（図２から図３への遷移）させる場合も、直流を端子Ｔ１と端子Ｔ２に印加し、図１から図２への遷移を経てから、電極Ｅｔ２を電極Ｅｔ１から離隔（図２から図３への遷移）させる場合と同様の説明となるため、これを援用し重複する説明を割愛する。
【００８９】
ただし、直流と低周波交流の相違点は、低周波交流においては、アーク放電が発生しても、電位“０”クロス点でアーク放電が自ら消滅するという点である。
【００９０】
本発明の電流開閉器を使用しなければ、すなわち、一般の交流電源を扱う交流開閉器で上記交流電流を断とするとき、アーク放電が発生する。
上記交流電流とは、ある程度の高電圧、ある程度の大電流の交流を示す。
【００９１】
本発明の電流開閉器はこのような低周波交流に対しても、アーク放電を発生させない効果がある。
【００９２】
本発明の電流開閉器を使用すると上記の直流電流を断とするとき、従来の直流電流遮断専用の大きく高価な開閉器を必要としない。
本発明の電流開閉器を使用すると上記の交流電流を断とするとき、従来の交流用である大きく高価な開閉器を必要としない。
【００９３】
（２）直流電流開閉器の実施の形態
（２−１）ハードウェア構造及び電気回路構成
図５〜図８は、本発明による実施の形態を示す直流電流開閉器の基本的原理を示す模式的ハードウェア構造図（電極１、電極２及び電極３）及び電気回路構成（Ｃ、Ｒ１、Ｄ及びＲ２）である。
なお、本発明の基本部分に関係しない付帯的要素は各図において割愛しているが、明細書にて文言上で説明する。
【００９４】
以下、図５〜図８を参照して、本発明の直流電流開閉器の実施の形態のハードウェア構造及び電気回路構成を説明する。
【００９５】
ただし、電流開閉器の実施の形態である図１〜図４と、直流電流開閉器の実施の形態である図５〜図８において共通するところの説明は重複するので、図５〜図８において図１〜図４と共通する要素（各素子等）は同一符号を付し、電流開閉器の実施の形態である図１〜図４の説明を援用し重複する説明を割愛する。両者において相違する箇所の説明を付加する。
【００９６】
電流開閉器の図１〜図４と直流電流開閉器図の５〜図８の相違点。
図５〜図８においては、図１〜図４における容量素子Ｃと抵抗素子Ｒ１の並列接続回路に、Ｄで表示される整流素子であるダイオードＤ（以下、ダイオードＤと称す。）及びＲ２で表示される抵抗素子である抵抗素子Ｒ２（以下抵抗素子Ｒ２と称す。）の並列接続回路が、直列接続されている点である。
なお、特許請求の範囲においては、ダイオードＤを整流素子、抵抗素子Ｒ２を抵抗素子２と称す。
【００９７】
容量素子Ｃと抵抗素子Ｒ１の並列接続回路と、ダイオードＤと抵抗素子Ｒ２の並列接続回路は、図５〜図８を正視して、左右入れ替えてもよい。
【００９８】
以上、本実施の形態は、ダイオードＤと抵抗素子Ｒ２の並列接続回路が付加された要素が電流開閉器の実施の形態と相違するところである。
なお、ダイオードＤは、端子Ｔ１、端子Ｔ２に印加される電位に対して順方向に接続される。
【００９９】
なお、電流開閉器の実施の形態において、説明した低周波交流関する説明は、本直流電流開閉器の実施の形態では行なわない。
本発明は直流電流開閉器であるためである。
【０１００】
（２−２）ハードウェア及び電気回路の動作
図５〜図８を参照し、本発明の直流電流開閉器のハードウェア及び電気回路の動作を説明する。
【０１０１】
図５は、電極Ｅｔ１、電極Ｅｔ２及び電極Ｅｔ３が全て接触している状態であり、端子Ｔ１、端子Ｔ２間に外部の電源を接続した場合を考える。
【０１０２】
たとえば、外部の高電圧直流電源又は高電圧ではないが大電流直流電源を接続するとする。外部の直流電源の一方の極性の電位を正極として、端子Ｔ１に印加し、外部の直流電源の他方の極性の電位を負極として、端子Ｔ２に印加したとする。
【０１０３】
外部の負荷Ｌが要求する条件により、外部の高圧直流電源又は高圧ではないが大電流電源を端子Ｔ１、端子Ｔ２間に接続する。「高圧の電流値＜高圧ではないが大電流の電流値」。左式のような電流の大小関係が一般的である。
また、高圧、低圧の電圧の大きさの大小関係による区分により、「高圧の電流値≪高圧ではないが大電流の電流値」ともなる。
【０１０４】
端子Ｔ１に印加された正極電位は、電流路Ｌｉ１、電極Ｅｔ１、電極Ｅｔ２及び電極Ｅｔ３に伝達され、電流路Ｌｉ３を介して端子Ｔ３に出力される。
端子Ｔ２に印加された負極電位は電流路Ｌｉ２を介して端子Ｔ４に直結しているため、端子Ｔ４に外部の負極電位が出力される。
【０１０５】
端子Ｔ３、端子Ｔ４間に外部の要素である負荷Ｌを接続すると該負荷Ｌに電力が供給される。これがスイッチ（本発明の直流電流開閉器）ＯＮ（直流電流開閉器が導通している状態であり、直流電流開閉器が閉の状態）の状態である。
【０１０６】
次に図６を参照して、本発明の直流電流開閉器の動作を説明する。
図６は、スイッチ（本発明の直流電流開閉器）ＯＦＦ（直流電流開閉器が非導通している状態であり、直流電流開閉器が開の状態）の状態である。
【０１０７】
図６においては、電極Ｅｔ３が電極Ｅｔ２から離隔し、電極Ｅｔ２と電極Ｅｔ３が非接触であるため、端子Ｔ１、端子Ｔ３間は非導通であり、負荷Ｌに電力が供給されない。
図６に遷移する前の図５の状態はで、容量素子Ｃ（コンデンサ）は、抵抗素子Ｒ１及び抵抗素子Ｒ２を介して略完全に放電されているとする。
【０１０８】
放電は、基本的には容量素子Ｃに並列接続されている抵抗素子Ｒ１を介して行われるが、下記の放電経路でも放電される。
放電経路は、図６に遷移する前の図５において、容量素子Ｃの一端（正極）から、抵抗素子Ｒ２、電流路Ｌｉ４、電極Ｅｔ２、電極Ｅｔ３、電流路Ｌｉ３、電流路Ｌｉ５、容量素子Ｃの他端（負極）である。
【０１０９】
本発明の直流電流開閉器を遮断（ＯＦＦ、すなわち、負荷Ｌへの電力供給を断とする。）するため、図５の状態から図６の状態に遷移（すなわち、電極Ｅｔ３を電極Ｅｔ２から離隔する。）させるとき、図５、図６に示す容量素子Ｃが存在しないで、容量素子Ｃの両端部が開放（オープン）されているとすると、電極Ｅｔ２と電極Ｅｔ３との間にアーク放電が発生し、電極Ｅｔ３を電極Ｅｔ２から遠ざけても、アーク放電が伸びるのみでアーク放電は消滅しない。
【０１１０】
この理由は、図６において、容量素子Ｃが存在しないで、端子Ｔ１、端子Ｔ２間に高電位差を印加している場合、電極Ｅｔ３が電極Ｅｔ２から離隔する瞬間及びその後、電極Ｅｔ１及び電極Ｅｔ２の電位は端子Ｔ１の極性の電位であり、電極Ｅｔ３の電位は端子Ｔ３及び端子Ｔ２の極性の電位であり、電極Ｅｔ２と電極Ｅｔ３との間に、端子Ｔ１と端子Ｔ２との間の高電位差が発生するためである。
【０１１１】
このような状態であるため、容量素子Ｃが存在しない場合に、図５において、電極Ｅｔ３を電極Ｅｔ２から離隔すると両電極間にアーク放電が発生し継続する。
【０１１２】
また、端子Ｔ１、端子Ｔ２間に、低圧を印加している場合でも、端子Ｔ３、端子Ｔ４間に大電流（大容量負荷を接続）を流していると、容量素子Ｃが存在しない場合に、図５において、電極Ｅｔ３を電極Ｅｔ２から離隔すると両電極間にアーク放電が発生し継続する。
【０１１３】
しかしながら、本発明の直流電流開閉器には、電極Ｅｔ２と電極Ｅｔ３間に容量素子Ｃが接続されている（ダイオードＤと抵抗素子Ｒ２との並列接続回路を介して）ため、電極Ｅｔ２と電極Ｅｔ３の離隔時に、電極Ｅｔ２と電極Ｅｔ３との間に発生すべくアーク放電電流の代替電流がダイオードＤ及び容量素子Ｃを介して流れるためアーク放電は発生しない。
【０１１４】
該アーク放電代替電流の電流路は、電極Ｅｔ２から電流路Ｌｉ４、ダイオードＤ、容量素子Ｃ、電流路Ｌｉ５、端子Ｔ３、負荷Ｌ、端子Ｔ４、電流路Ｌｉ２、端子Ｔ２である。
【０１１５】
これを別の観点から考察すると、電極Ｅｔ２と電極Ｅｔ３との間に容量素子Ｃが接続（ダイオードＤと抵抗素子Ｒ２との並列接続回路を介して）されているため、電極Ｅｔ３が電極Ｅｔ２から離隔する一瞬は、電極Ｅｔ２の電位と電極Ｅｔ３の電位がほぼ同電位であり、電極Ｅｔ２と電極Ｅｔ３との電位差が、略“０．６”Ｖ（ほぼ“０”）であるためである。
仮に、容量素子Ｃが完全に放電していない場合は、、電極Ｅｔ２と電極Ｅｔ３との電位差は極めて小さいものとなる。
電位差がほぼ“０”又は小さいければ、アーク放電は発生しない。
【０１１６】
ダイオードＤを流れる電流値が大であると、ダイオードＤの順方向降下電圧が若干大きくなるが。
【０１１７】
電極Ｅｔ３が電極Ｅｔ２から離隔する瞬間は、容量素子Ｃを流れる電流位相は進み、容量素子Ｃの端子間電圧位相は遅れ、該端子間電位差は略“０．６”Ｖである。
したがって、電極Ｅｔ２と電極Ｅｔ３との間にアーク放電が発生しない。
【０１１８】
容量素子Ｃの一端すなわち電極Ｅｔ２と容量素子Ｃの他端すなわち電極Ｅｔ３との電位差と、電極Ｅｔ２と電極Ｅｔ３との時間を考慮した離隔間隔を考えると、電極Ｅｔ２から電極Ｅｔ３が離隔する際、すなわち電極Ｅｔ２と電極Ｅｔ３との離隔間隔が、離隔した一瞬である無限小から、Ｘｍｍ／ｍｓの速度で離隔する過程で、電極Ｅｔ２の電位と電極Ｅｔ３の電位とが電極間電位差放電（アーク放電ではない。）を発生する電位差に至るまで容量素子Ｃが充電（容量素子Ｃの端子間電位差の増大）される時刻には、電極Ｅｔ３が電極Ｅｔ２から必要十分離隔する。
【０１１９】
Ｘは、電極Ｅｔ３が外力により移動させられる単位時間（ｍｓ）あたりの離隔距離である。
【０１２０】
該電位差放電は、概略、電極間隔１ｍｍ以下、電位差１，０００Ｖ以上で発生すると言われている。電極Ｅｔ２と電極Ｅｔ３との電位差が１，０００Ｖでも、離隔間隔が１ｍｍ超となれば、該離隔した間隔に電位差放電を発生することはなく、かつ、これが発生しさらにアーク放電に移行することはない。
ここで、電位差放電とは一般的に、電極間に高圧を印加した場合に発生する電極間の絶縁耐圧を超えた場合に発生する放電である。
【０１２１】
端子Ｔ１、端子Ｔ２間に、高電圧ではないが大電流直流電源を接続した場合は、さらに電位差放電が発生することは困難である。ただ、電極Ｅｔ２と電極Ｅｔ３の離隔時瞬間のアーク放電に留意すればよい。
【０１２２】
なお、端子Ｔ３、端子Ｔ４間の電流値（負荷Ｌ電流値）により、容量素子Ｃの容量を決める。該電流値が大きい程、容量素子Ｃの容量を大きくする必要がある。
また、電極Ｅｔ３が電極Ｅｔ２から離隔する速度も重要であり、容量素子Ｃの充電による容量素子Ｃの端子間電位差と電極Ｅｔ２と電極Ｅｔ３の離隔間隔において、アーク放電を発生しないで離隔した後、電極Ｅｔ２と電極Ｅｔ３に電位差放電が発生しないように離隔間隔を大とすべく離隔速度を大とする。
【０１２３】
なお、本発明の電流開閉器では、容量素子Ｃは、通常の容量すなわちμＦ単位、通常の開閉器の電極接点切り離し速度で十分である。
【０１２４】
図５においては、容量素子Ｃに蓄積されている電荷は“０”であり、容量素子Ｃの一端と他端の電位差は略“０．６”Ｖであり、容量素子Ｃの一端と他端の電位は、ほぼ、電極Ｅｔ２、電極Ｅｔ３、電極Ｅｔ１及び端子Ｔ１の電位であったが、図６において、電極Ｅｔ２と電極Ｅｔ３が離隔して微小時間（容量素子Ｃと負荷Ｌとの時定数にもよるが）経過後、容量素子Ｃの他端の電位は、端子Ｔ２の電位（端子Ｔ２の電位を基準としてほぼ“０”電位）に漸近していく。
ここで、上記及び以降、ダイオードＤの順方向電圧降下を無視する（ダイオードＤの順方向電圧降下を考慮する場合「ほぼ」という表現とする。）。
【０１２５】
すなわち、容量素子Ｃの端子間電位差は、ほぼ、端子Ｔ１と端子Ｔ２間の電位差となる。
よって、電極Ｅｔ２と電極Ｅｔ３との電位差は、端子Ｔ１と端子Ｔ２との電位差と、ほぼ、同一となり、本来電位差放電が発生する電位差に達するが、電極Ｅｔ２と電極Ｅｔ３が必要十分に離隔し、該放電が発生せず、かつアーク放電に移行することはない。
【０１２６】
なお、抵抗素子Ｒ１は、容量素子Ｃに充電された電荷を放電するためのものであが、図２の状態では、該抵抗素子Ｒ１が端子Ｔ１と端子Ｔ２間の閉回路を構成する要素であるため、アーク放電を発生せず負荷Ｌに電力を供給しなくなった現在でも負荷Ｌの電力入力両端間（すなわち、端子Ｔ３、端子Ｔ４間）に、端子Ｔ１と端子Ｔ２間に印加された電位の一部（抵抗素子Ｒ１の抵抗値と負荷Ｌ直流抵抗値の比にもよるが）が発生しているため、電極Ｅｔ２を次の段階に遷移（図７及び図８に）させる。
【０１２７】
抵抗素子Ｒ１の抵抗値をあまり小さくすると、電極Ｅｔ２から電極Ｅｔ３を離隔して、本発明の電流開閉器を断とした場合も、ダイオードＤ（抵抗素子Ｒ２を無視）及び抵抗素子Ｒ１を介して負荷Ｌ電流が流れるため、抵抗素子Ｒ１の抵抗値は、容量素子Ｃの電荷を放電する程度のものとする。
【０１２８】
なお、図６の状態では、容量素子Ｃは、外部の一方の極性（正極）の電位が印加された端子Ｔ１にから、電流路Ｌｉ１、電極Ｅｔ１、電極Ｅｔ２、電流路Ｌｉ４、ダイオードＤ（抵抗素子Ｒ２を無視）、容量素子Ｃ、電流路Ｌｉ５、端子Ｔ３、負荷Ｌ、端子Ｔ４、電流路Ｌｉ２、外部の他方の極性（負極）の電位が印加された端子Ｔ２の電流路で充電される。
【０１２９】
図６〜図８を参照して、次の段階における本発明の電流開閉器の動作を説明する。
図６の状態において、容量素子Ｃの一端の電位は、電極Ｅｔ２、電極Ｅｔ１及び端子Ｔ１の電位であるが、図７の状態に遷移（電極Ｅｔ２が電極Ｅｔ１から離隔する。）する直前は、容量素子Ｃの他端の電位が、ほぼ、端子Ｔ２の電位の電位となっているか又は、これに近い電位となっている必要がある。すなわち、容量素子Ｃの端子間電位差が、ほぼ、端子Ｔ１と端子Ｔ２との電位差又はこれに近い電位差となっている必要がある。
【０１３０】
これを満足している場合、図６の状態から図７の状態（電極Ｅｔ１から電極Ｅｔ２の離隔）に遷移しても、電極Ｅｔ１と電極Ｅｔ２間にはアーク放電は発生しない。
これは、電極Ｅｔ１と電極Ｅｔ２が離隔する一瞬、電極Ｅｔ１と電極Ｅｔ２間の電位差が、ほぼ“０”Ｖ又は小さいためである。
【０１３１】
次に、図８において、容量素子Ｃの電荷は抵抗素子Ｒ１及び抵抗素子Ｒ２を介して放電を開始し、容量素子Ｃの端子間電圧は無限小に漸近（これに要する時間は、容量素子Ｃと、抵抗素子Ｒ１とＲ２の並列接続抵抗値の時定数による。）していく。
【０１３２】
仮に、図６の状態から瞬間的（または、速く）に図８の状態へ遷移して、容量素子Ｃの電荷が抵抗素子Ｒ１を介して放電する時間を与えられずとも、ダイオードＤが容量素子Ｃの充電電位極性と逆方向であるため、電極Ｅｔ２、電極Ｅｔ３間には、抵抗素子Ｒ２を介した容量素子Ｃの放電電流が流れるため、容量素子Ｃの両端子間は短絡しない。
【０１３３】
したがって、このような事象（図６の状態から瞬間的（または、速く）に図８の状態へ遷移）が発生しても、容量素子Ｃ両端の短絡は無く、容量素子Ｃから大電流が流れず、電極Ｅｔ２、電極Ｅｔ３の接触部ダメージ（電流開閉器の実施の形態で説明した溶融、溶着など）を与えてしまうことがない。
【０１３４】
すなわち、電極Ｅｔ２及び電極Ｅｔ３の接触部の溶融、電極Ｅｔ２、電極Ｅｔ３間の容着などの事象が発生しない。
したがって、図７の状態を維持する時間を設ける必要はない。
【０１３５】
図８の状態では容量素子Ｃの端子間は短絡されずに、容量素子Ｃの電荷を抵抗素子Ｒ１、抵抗素子Ｒ２を介してそれぞれ別に放電できる。
抵抗素子Ｒ２を介しての容量素子Ｃの電荷の放電経路は、容量素子Ｃの一端、抵抗素子Ｒ２、電流路Ｌｉ４、電極Ｅｔ２、電極Ｅｔ３、電流路Ｌｉ３、電流路Ｌｉ５、容量素子Ｃの他端となる。
【０１３６】
図８において、容量素子Ｃの電荷は抵抗素子Ｒ１及び抵抗素子Ｒ２を介して放電を開始し、容量素子Ｃの端子間電圧は無限小に漸近（これに要する時間は、容量素子Ｃと、抵抗素子Ｒ１と抵抗素子Ｒ２の並列接続回路の時定数による。）していく。
【０１３７】
このような状態（図８）のままで、次にスイッチ（本発明の直流電流開閉器）ＯＮ（直流電流開閉器が導通している状態であり、直流電流開閉器が閉の状態）を迎えるまで放置していてもかまわない。
【０１３８】
次にスイッチ（本発明の直流電流開閉器）ＯＮの状態に遷移するときは、図８の状態を維持しながら、電極Ｅｔ２を電極Ｅｔ１に接触させる必要はない。
【０１３９】
本発明の直流電流開閉器では、上記の過程を経過（すなわち、図８の状態を維持すること）しないで、先に電極Ｅｔ２を電極Ｅｔ１に接触させる（図６の状態）ことができる。
【０１４０】
次に、電極Ｅｔ３を電極Ｅｔ２に接触させ、スイッチ（本発明の直流電流開閉器）ＯＮの状態（図５の状態）に遷移させても、容量素子Ｃの充電電位極性がダイオードＤの順方向とは逆であり、容量素子Ｃの電荷は、抵抗素子Ｒ２を介して放電されるため、電極Ｅｔ２の接触部及び電極Ｅｔ３の接触部にダメージ（溶融、溶着など）を与えることはない。
【０１４１】
この容量素子Ｃの放電経路は、容量素子Ｃの一端から、抵抗素子Ｒ２、電流路Ｌｉ４、電極Ｅｔ２、電極Ｅｔ３、電流路Ｌｉ３、電流路Ｌｉ５、容量素子Ｃの他端である。
【０１４２】
本発明の実施の形態において、端子Ｔ１に正極電位、端子Ｔ２に負極電位を印加する一例で動作説明をしたが、端子Ｔ１に負極電位、端子Ｔ２に正極電位を印加しても良い。
【０１４３】
上記のように、端子Ｔ１、端子Ｔ２間に逆極性の電位を印加する場合は、ダイオードＤのアノードとカソードを逆にする。すなわち、図５〜図８とは逆極性でダイオードを接続する。
【０１４４】
本発明の実施の形態は、直流専用のアーク放電阻止、直流電流開閉器であるが、電極Ｅｔ２の振る舞い、すなわち、電極Ｅｔ３が電極Ｅｔ２から離隔した後、電極Ｅｔ２の電極Ｅｔ３への接触及び電極Ｅｔ２が電極Ｅｔ１から離隔した後、電極Ｅｔ２の電極Ｅｔ１への接触に係る制御が簡単である利点がある。
【０１４５】
本発明の実施の形態において、端子Ｔ１に正極電位、端子Ｔ２に負極電位を印加する一例で動作説明をしたが、端子Ｔ１に負極電位、端子Ｔ２に正極電位を印加しても良い。
【０１４６】
上記のように、端子Ｔ１、端子Ｔ２間に逆極性の電位を印加する場合は、ダイオードＤのアノードとカソードを逆にする。すなわち、図５〜図８とは逆極性でダイオードを接続する。
【０１４７】
（３）補足説明
前述の（１−１）ハードウェア構造及び電気回路構成における「高電圧、高電圧ではない（低電圧とも一概に限定できないが。）電圧、大電流及び交流（周波数）の定性的表現」の補足説明。
高電圧（高圧）／低電圧（低圧）／「高電圧ではない」は、定性的であるが、これらについて、各電極を含むメカニカル部分において、特にアーク放電を意識しない通常の電圧範囲における耐圧・電流容量を満足するごく一般的なメカニカルスイッチについて、これらを説明する。
【０１４８】
（３−１）電圧及び電流値
一般に知られているアーク放電を発生する電極間電位差は、高電圧３００Ｖ程度以上であり、３００Ｖから見ると低電圧と考えられる４８未満程度（４８Ｖより大きく低下しない電圧）でも、電極間を流れる電流が大きいと、たとえば、数十Ａ〜数千Ａ〜数万Ａなどの電流値で、アーク放電が発生すると言われている。
【０１４９】
すると、アーク放電を発生する電極間電位差は、３００Ｖ程度以上としたが、電極間を流れる電流が、電極間電位差３００Ｖ程度以上場合の電流値より大きいと、たとえば、特に高電圧ではない１００Ｖ、２００Ｖ程度でもアーク放電は発生することとなる。
当然ではあるが、このアーク放電は、電圧が印加されている電極間が開となるとき発生する場合のものである。
【０１５０】
すなわち、電極間にアーク放電が発生する電極間電位差は、流れる電流に大きく依存することとなる。
【０１５１】
したがって、本明細書で高圧、低圧と表現されていても、上記の電流値を考慮したものと考える必要がある。すなわち、電極間電流値によって、電極間に印加される高圧／低圧におけるアーク放電が発生する区分が相違する。
【０１５２】
（３−２）交流の周波数
交流の周波数については、容量素子Ｃを使用し、ダイオードＤを使用しない本発明の電流開閉器について、説明を付加する。
【０１５３】
交流の周波数は、本発明の電流開閉器に適用する場合、おおよそ１００Ｈｚ程度以下であり、一般には、系統の周波数（５０Ｈｚ、６０Ｈｚ）を意味する。
これは、前述した、ごく一般的なメカニカルスイッチ（アーク放電を考慮しない）を本発明の実施の形態の電極に使用し、容量素子Ｃを付加したときの交流周波数である。
【０１５４】
当然ではあるが、交流の周波数は、容量素子Ｃの容量、電極の離隔速度（これは、電極の質量（すなわち、電極の電流容量に起因する。）、電極を移動させる外力とも関係するが）に依存する。
【０１５５】
電極の離隔速度は、ごく一般的なメカニカルスイッチを本発明の実施の形態に使用した一般的な条件下であるため、容量素子Ｃの容量は、交流の周波数によりほぼ決定される。
交流では、電極の離隔時アーク放電が発生しなくても、離隔途中で交流電位が変化し、電極間電位差が大きくなり、電位差放電が発生し、これがアーク放電に移行する場合がある。
【０１５６】
したがって、開閉器の電極の質量（これは、電極の電流容量に起因する。）及び両電極を離隔する速度（これは、電極を離隔させる外力に起因する。）と重要な因果関係が存在する。
【符号の説明】
【０１５７】
Ｅｔ１、Ｅｔ２、Ｅｔ３      電極１〜電極３
Ｃ                          容量素子
Ｄ                          整流素子
Ｒ１、Ｒ２                  抵抗素子１，２
Ｌｉ１〜Ｌｉ５              電流路１〜５
Ｔ１〜Ｔ４                  端子１〜４
【図１】
2013008607.tif 000003
【図２】
2013008607.tif 000004
【図３】
2013008607.tif 000005
【図４】
2013008607.tif 000006
【図５】
2013008607.tif 000007
【図６】
2013008607.tif 000008
【図７】
2013008607.tif 000009
【図８】
2013008607.tif 000010